(57)【要約】【課題】従来の風呂給湯装置の通話装置は、通信制御信号と通話信号との２種類の信号を同時に双方向通信が可能であるが、通話時のみに浴室リモコンと台所リモコンから各々異なる周波数帯で送信する通話キャリアがどちらか一方のリモコンからしか出力されてない状態では、常時送信されている通信制御キャリアがノイズとしてスピーカから出力されてしまう問題があった【解決手段】電源部、通信回路部、マイク、スピーカ、通話の設定と解除をする通話スイッチ及び制御部を有する浴室リモコン２及び台所リモコン３と、電源部、通信回路部、及び制御部を有する給湯装置本体１とで構成され、操作側リモコン２及び３の制御部２ｄ及び３ｄは、通話スイッチ２ａ又は３ａにて通話が解除された時に、通信制御キャリアによる通信制御信号にて非操作側リモコンへ解除信号を送り、所定時間後に通話を解除するようにした。【選択図】　　　　図２
2004101006.tif 000002
【特許請求の範囲】
【請求項１】
電源部、給湯装置本体との通信をするための通信回路部、通話用のマイク、スピーカ、通話の設定と解除をする通話スイッチ、及び制御部を備えた複数のリモコンと、電源部、複数のリモコンとの通信をするための通信回路部、及び制御部を備えた給湯装置本体とからなる風呂給湯装置の通話装置において、操作側リモコンの制御部は、通話スイッチにて通話が解除された時に、通信制御キャリアによる通信制御信号にて非操作側リモコンへ通話解除信号を送り、所定時間後に通話を解除することを特徴とする風呂給湯装置の通話装置。
【発明の詳細な説明】
【０００１】
【発明に属する技術分野】
本発明は、浴室、台所等に設置されたリモコンに使用される風呂給湯装置の通話装置に関するものである。
【０００２】
【従来の技術】
風呂給湯装置は、浴室、台所への給湯、風呂への自動湯張りなどに使用されている。通常、この種の風呂給湯装置は、単一の給湯器本体と適宜の個所とを配管で結び、浴室、台所等にリモコンを設置して、運転開始、給湯、温度設定等に各種の操作を行うことができる。そして、最近のリモコンには、浴室リモコンと台所リモコンの離れた設置場所間において、通話できる機能を備えている（例えば、特許文献１及び２参照）。この種の通話機能には、通話の設定と解除を行うための操作スイッチが設けられ、また、通話設定を解除し忘れた場合に、所定時間の経過後に、自動的に通話機能を解除する制御を設ける場合もある。
【０００３】
【特許文献１】
特開２００１―２０８４２２号公報
【特許文献２】
特開２００１―１１９７６４号公報
【０００４】
【発明が解決しようとする課題】
従来の風呂給湯装置の通話装置では、通信制御信号と通話信号との２種類の信号を同時に双方向通信が可能であるが、通話時のみに浴室リモコンと台所リモコンから各々異なる周波数帯で送信する通話キャリアが、どちらか一方のリモコンからしか出力されてない状態では、常時送信されている通信制御キャリアがノイズとしてスピーカから出力されてしまう問題があった。
一方、特開２００１―２０８４２２号公報では、ノイズとしてスピーカから出力されてしまう問題を抑制しているが、この場合のノイズは、ハウリングであり、本発明の通信キャリアによるノイズの抑制とは異なる。
また、特開２００１―１１９７６４号公報では、通話キャリアと通信制御キャリアを用いているが、更にテレビやラジオ等の放送の信号も重畳し、支障無く動作するリモコンの提供が目的なので、本発明の通信キャリアによるノイズの抑制とは内容が異なる。
【０００５】
本発明は上記のような問題点を解消するためになされたもので、どちらか一方のリモコンからしか通話キャリアが出力されていない状態を無くし、通信制御キャリアによるノイズの抑制を図った風呂給湯装置の通話装置を提供することを目的とする。
【０００６】
【課題を解決するための手段】
本発明による風呂給湯装置の通話装置は、電源部、給湯装置本体との通信をするための通信回路部、通話用のマイク、スピーカ、通話の設定と解除をする通話スイッチ、及び制御部を備えた複数のリモコンと、電源部、複数のリモコンとの通信をするための通信回路部、及び制御部を備えた給湯装置本体とからなる風呂給湯装置の通話装置において、操作側リモコンの制御部は、通話スイッチにて通話が解除された時に、通信制御キャリアによる通信制御信号にて非操作側リモコンへ通話解除信号を送り、所定時間後に通話を解除することを特徴としている。
【０００７】
【発明の実施の形態】
実施の形態１．
図１は本発明の実施の形態１を示す通話装置のブロック図であり、図２は本発明の実施の形態１を示す通話制御の動作を示すタイミングチャートである。
【０００８】
図１において、給湯器本体１は、浴室リモコン２及び台所リモコン３と電源線４でそれぞれ接続されている。浴室リモコン２と台所リモコン３には通話を設定および解除するための操作スイッチ２ａ、３ａが設けられている。
【０００９】
給湯装置本体１には電源部１ｂ、通信回路部１ｃ、制御部１ｄを有している。通信回路部１ｃは通信制御キャリア（帯域：５０ｋＨｚ）の変換をおこなう。制御部１ｄは、浴室リモコン２および台所リモコン３との通信制御キャリア（帯域：５０ｋＨｚ）の解析および送受信を行う。
【００１０】
浴室リモコン２は、電源部２ｂ、通信回路部２ｃ、制御部２ｄ、通話回路部２ｅ、アンプ２ｉ、スピーカ２ｊ、マイク２ｋを有している。通信回路部２ｃは給湯器本体１との通信制御キャリア（帯域：５０ｋＨｚ）の変換をおこなう。制御部２ｄは給湯器本体１との通信制御キャリア（帯域：５０ｋＨｚ）の解析および送受信、さらに通話回路への動作／停止の命令を行う。通話回路部２ｅはハイブリッド回路２ｆ、ＦＭ復調回路２ｇおよびＦＭ変調回路２ｈで構成される。ハイブリッド回路２ｆは、どちらのリモコンにおいて、音声をスピーカで出力するかを判定する回路である。ＦＭ復調回路２ｇは台所リモコン３からの通話キャリア（帯域：３５０ｋＨｚ）をＦＭ復調する回路であり、ＦＭ変調回路２ｈは浴室リモコン２の音声信号を通話キャリア（帯域：２４０ｋＨｚ）にＦＭ変調する回路である。
【００１１】
台所リモコン３は、電源部３ｂ、通信回路部３ｃ、制御部３ｄ、通話回路部３ｅ、アンプ３ｉ、スピーカ３ｊ、マイク３ｋを有している。通信回路部３ｃは給湯器本体１との通信制御キャリア（帯域：５０ｋＨｚ）の変換をおこなう。制御部３ｄは給湯器本体１との通信制御キャリア（帯域：５０ｋＨｚ）の解析および送受信、さらに通話回路への動作／停止の命令を行う。通話回路部３ｅはハイブリッド回路３ｆ、ＦＭ復調回路３ｇおよびＦＭ変調回路３ｈで構成される。ハイブリッド回路３ｆは、どちらのリモコンにおいて、音声をスピーカで出力するかを判定する回路である。ＦＭ復調回路３ｇは浴室リモコン２からの通話キャリア（帯域：２４０ｋＨｚ）をＦＭ復調する回路であり、ＦＭ変調回路２ｈは台所リモコン３の音声信号を通話キャリア（帯域：３５０ｋＨｚ）にＦＭ変調する回路である。
【００１２】
次に、実施の形態１における通話制御の動作について、図２のタイミングチャートを中心に図１〜図２を用いて説明する。
【００１３】
図２のタイミングチャートにおいて、Ｔ１時点で、浴室リモコン２にて、通話スイッチ２ａを押下することにより、通話が設定され、制御部２ｄより、通話回路部２ｅへ動作命令が出力される。通話回路部２ｅより台所リモコン３へ浴室通話キャリア（周波数帯：５０ｋＨｚ）が出力される。同時に制御部２ｄより台所リモコン３へ通話が設定されたことを知らしめるために、通信制御キャリア（周波数帯：５０ｋＨｚ）による通話設定信号が送信される。
【００１４】
Ｔ２時点で、台所リモコン３にて、浴室リモコン２にて通話が設定されたことを知らしめるための通信制御キャリア（周波数帯：５０ｋＨｚ）による通話設定信号が制御部３ｄで受信されると、通話が設定され、制御部３ｄより通話回路部３ｅへ動作命令が出力される。通話回路部３ｅより浴室リモコン２へ台所通話キャリア（周波数帯：３５０ｋＨｚ）が出力される。この時、浴室リモコン２と台所リモコン３との間で通話が可能となる。
【００１５】
そして、Ｔ３時点で、浴室リモコン２にて通話スイッチ２ａを押下することにより、通話が解除され、制御部２ｄより台所リモコン３へ通話が解除されたことを知らしめるために、通信制御キャリア（周波数帯：５０ｋＨｚ）による通話解除信号が送信される。
【００１６】
Ｔ４時時点で、台所リモコン３にて、浴室リモコン２にて通話が解除されたことを知らしめるための通信制御キャリア（周波数帯：５０ｋＨｚ）による通話解除信号が制御部３ｄで受信されると、通話が解除され、制御部３ｄより通話回路部３ｅへ停止命令が出力される。通話回路部３ｅより浴室リモコン２へ台所通話キャリア（周波数帯：３５０ｋＨｚ）が停止される。
【００１７】
そして、通話スイッチ２ａを押下されてから所定時間経過後のＴ５時点で、浴室リモコン２にて、制御部２ｄより通話回路部２ｅへ停止命令が出力される。通話回路部２ｅより台所リモコン３へ浴室通話キャリア（周波数帯：２４０ｋＨｚ）が停止される。この時、浴室リモコン２と台所リモコン１との間での通話が終了となる。
【００１８】
上記のように、Ｔ３時点で、制御部２ｄより通話回路部２ｅへ停止命令を即座に出力せずに、台所リモコン３にて通話解除信号が受信されるまでに必要な通信時間だけ遅らせて停止命令を出力することにより、浴室通話キャリア（周波数帯：２４０ｋＨｚ）が停止され、台所通話キャリア（周波数帯：３５０ｋＨｚ）のみ出力されている状態がなくなり、通信制御キャリア（周波数帯：５０ｋＨｚ）がノイズとして浴室リモコン２のスピーカ２ｊから出力されてしまうことが抑制される。
【００１９】
なお、この実施の形態１では、操作側リモコンを浴室リモコン２で説明したが、操作側リモコンが台所リモコン３の場合も同様の動作により、通信制御キャリア（周波数帯：５０ｋＨｚ）がノイズとして台所リモコン３のスピーカ３ｊから出力されてしまうことが抑制される。
【００２０】
また、この実施の形態１では、Ｔ３時点において、通話解除方法を通話スイッチ２ａの押下操作としたが、通話が設定されてから所定時間経過した場合の自動的な通話解除制御のタイプに採用しても同様の効果が得られる。
【００２１】
【発明の効果】
以上のように本発明によれば、電源部、給湯装置本体との通信をするための通信回路部、通話用のマイク、スピーカ、通話の設定と解除をする通話スイッチ、及び制御部を備えた複数のリモコンと、電源部、複数のリモコンとの通信をするための通信回路部、及び制御部を備えた給湯装置本体とからなる風呂給湯装置の通話装置において、操作側リモコンの制御部は、通話スイッチにて通話が解除された時に、通信制御キャリアによる通信制御信号にて非操作側リモコンへ通話解除信号を送り、所定時間後に通話を解除するように制御するので、通信制御信号と通話信号との２種類の信号を同時に双方向通信が可能であり、通話時のみに浴室リモコンと台所リモコンから各々異なる周波数帯で送信する通話キャリアが、どちらか一方のリモコンからしか出力されてない状態を無くし、常時送信されている通信制御キャリアがノイズとしてスピーカから出力されてしまうことを抑制できる。
【図面の簡単な説明】
【図１】図１は本発明の実施の形態１を示す通話装置のブロック図である。
【図２】図２は本発明の実施の形態１を示す通話制御の動作を示すタイミングチャートである。
【符号の説明】
１　給湯器本体、２　浴室リモコン、３　台所リモコン、２ａ，３ａ　通話スイッチ、１ｂ，２ｂ，３ｂ　電源部、１ｃ，２ｃ，３ｃ　通信回路部、１ｄ，２ｄ，３ｄ　制御部、２ｅ，３ｅ　通話回路部、２ｆ，３ｆ　ハイブリッド回路、２ｇ，３ｇ　ＦＭ復調回路、２ｈ，３ｈ　ＦＭ変調回路、２ｉ，３ｉ　アンプ、２ｊ，３ｊ　スピーカ、２ｋ，３ｋ　マイク。
【図１】
2004101006.tif 000003
【図２】
2004101006.tif 000004